(57)【特許請求の範囲】
【請求項１】
部屋の床に敷設した防音床暖房装置に部屋の壁際等から電気配線や温水配管を連絡させる配線や配管を行うのに用いる連絡用下地材であって、切断可能な材質で矩形板状に形成された下地材に配線や配管を通して収納する上面開口の収納溝が形成され、収納溝は下地材の幅方向の略中央で下地材の長手方向に亙るように形成された直線収納溝と、下地材の長手方向の両端部に下地材の幅の略半分の半径で略１／４円状に形成された円弧状収納溝とで構成され、直線収納溝の長手方向の端部と下地材の長手方向の両端の端部の円弧状収納溝の一端とが連通させられると共に円弧状収納溝の他端は下地材の側端で開口され、下地材の幅と円弧状収納溝の円弧の中心から下地材の長手方向の端までの距離を同じとし、下地材を円弧状収納溝の円弧の中心を通る部分で幅方向に切断して得られる円弧状収納溝を備えた切断連絡用下地材の向きを逆にすると、該切断連絡用下地材の円弧状収納溝の一端部が直線状収納溝に連通され且つ該円弧状収納溝の曲げ方向が他方の円弧状収納溝とは逆向きになる連絡用下地材を組み立てることができることを特徴とする防音床暖房装置への配線や配管の連絡用下地材。
【請求項２】
上記下地材に防音床暖房装置の下地と同等の防音性能を付与したことを特徴とする請求項１記載の防音床暖房装置への配線や配管の連絡用下地材。
【発明の詳細な説明】
【０００１】
【発明の属する技術分野】
本発明は、部屋の床に防音床暖房装置を敷設したとき部屋の壁際等から電気配線や温水配管を連絡させる配線や配管を行うのに用いる連絡用下地材の構造に関するものである。
【０００２】
【従来の技術及び発明が解決しようとする課題】
一般に防音床暖房装置Ａは図６に示すように暖房用下地材１の上に木質床材等の床表層材２を敷設して形成されている。暖房用下地材１は繊維マットのようなマット材３の下に発泡樹脂等のクッション材４を積層一体化し、クッション材４の下に不織布等の裏打ち材５を積層して形成されており、温水暖房する場合には暖房用下地材１に配管溝６を凹設して配管溝６に温水パイプ７を配管すると共に必要に応じて温水パイプ７を配管溝６に粘着剤にて固定し、暖房用下地材１の上面全面にアルミニウム箔のような均熱シート９が貼られる。電気暖房の場合は、暖房用下地材１の上に面状ヒータ等が装着される。
【０００３】
このような防音床暖房装置Ａは部屋の床の上に直貼りで取り付け施工されるのであるが、暖房が必要な箇所だけに防音床暖房装置Ａが敷設され、暖房が必要でない周辺等には暖房機能のない防音床が敷設される。実際の施工では図７に示すように床暖房の必要箇所に温水パイプ７や面状ヒータ等を装着した暖房用下地材１が敷設され、上記暖房用下地材１と同じであるが暖房機能のない防音下地材１０が残りの部分に敷設され、暖房用下地材１及び防音下地材１０の全面に亙るように床表層材２が敷設される。
【０００４】
ところで、上記防音床暖房装置Ａは部屋の中央部等の暖房の必要な部分に設けられるため、給電したり給湯したりするために部屋の壁際から防音床暖房装置Ａまで配線や配管を通す必要がある。この配線や配管を通す場合、床表層材２と防音下地材１０との間に通す必要があるが、配線や配管を通すために防音下地材１０の上面に配線や配管を通す溝を穿設する必要があるが、現場でこのような溝を穿設するには非常に手間がかかると共に技術を要し、施工が困難になるという問題がある。
【０００５】
そこで上記配線や配管を通す部分に用いる下地材として予め溝を凹設した連絡用下地材を用意しておき、これを敷設してから配線や配管を通すことが考えられるが、施工現場によって配線や配管を通す経路は様々であり、これに対応するために多数の種類の連絡用下地材を用意しておかなければならないという問題がある。
【０００６】
本発明は叙述の点に鑑みてなされたものであって、１種類の部材で様々や連絡用の配線や配管の経路に対応でき、しかも施工者によってばらつきなく容易に施工できる防音床暖房装置への配線や配管の連絡用下地材を提供することを課題とする。
【０００７】
【課題を解決するための手段】
上記課題を解決するため本発明の防音床暖房装置への配線や配管の連絡用下地材Ｂ（以下、連絡用下地材Ｂという）は、部屋の床に敷設した防音床暖房装置Ａに部屋の壁１１際等から電気配線や温水配管を連絡させる配線や配管を行うのに用いる連絡用下地材であって、切断可能な材質で矩形板状に形成された下地材１２に配線や配管を通して収納する上面開口の収納溝１３が形成され、収納溝１３は下地材１２の幅方向の略中央で下地材１２の長手方向に亙るように形成された直線収納溝１３ａと、下地材１２の長手方向の両端部に下地材１２の幅の略半分の半径で略１／４円状に形成された円弧状収納溝１３ｂ，１３ｃとで構成され、直線収納溝１３ａの長手方向の端部と下地材１２の長手方向の両端の端部の円弧状収納溝１３ｂ，１３cの一端とが連通させられると共に円弧状収納溝１３ｂ，１３cの他端は下地材１２の側端で開口され、下地材１２の幅Ｗと円弧状収納溝１３ｂ、１３ｃの円弧の中心から下地材１２の長手方向の端までの距離を同じとし、下地材１２を円弧状収納溝１３ｂ、１３ｃの円弧の中心を通る部分で幅方向に切断して得られる円弧状収納溝１３ｃを備えた切断連絡用下地材の向きを逆にすると、該切断連絡用下地材の円弧状収納溝１３ｃの一端部が直線状収納溝１３ａに連通され且つ該円弧状収納溝１３ｃの曲げ方向が他方の円弧状収納溝１３ｂとは逆向きになる連絡用下地材Ｂを組み立てることができることを特徴とする。上記のように連絡用下地材Ｂを形成したことにより、連絡用下地材Ｂをそのまま用いたり、下地材１２の長手方向の適所で幅方向に切断することにより、直線状や種々の形状に曲がった収納溝１３を有する切断材を形成でき、１種類の連絡用下地材Ｂにて様々な連絡用の配線や配管の経路に対応することができる。また予め収納溝１３を設けてあると共に下地材１２の長手方向の適所で切断するだけのために施工者によって施工のばらつきを生じたりすることなく容易に施工できる。
【０００８】
また上記下地材１２に防音床暖房装置Ａの下地と同等の防音性能を付与したことを特徴とすることも好ましい。この場合、連絡用下地材Ｂを敷設して連絡用の配線や配管を通した部分も防音床暖房装置Ａと同等の防音性能を得ることができる。
【０００９】
【発明の実施の形態】
連絡用下地材Ｂは図１や図２に示すように切断可能な材料にて矩形状に形成せる下地材１２に収納溝１３を穿設して形成されており、この連絡用下地材Ｂの長さＬは例えば１８１８ｍｍであり、幅Ｗは例えば１５０ｍｍである。下地材１２はマット材１５の下にクッション材１６を積層一体化し、クッション材１６の下に裏打ち材１７を積層一体化して形成されている。マット材１５は、麻、綿、パームなどの天然繊維やＰＥＴ、ポリエチレン、ポリエステルなどの合成繊維、或いはそれらの混合繊維とバインダーなどからなる繊維系マットである。クッション材１６は独立気泡または連続気泡の樹脂発泡体等であり、独立気泡樹脂発泡体としては例えば発泡ポリエチレン、連続気泡発泡体としては例えば発泡ウレタンが用いられる。裏打ち材１７としては不織布が用いられ、ＰＥＴやレーヨンなどからなるものが用いられる。
【００１０】
下地材１２の上面には上面を開口せる収納溝１３が形成されるが、下地材１３の長手方向の両端部を除く部分には下地材１２の幅方向の略中央で下地材１２の長手方向に亙る直線収納溝１３ａが形成され、下地材１２の長手方向の両端では下地材１２の幅の略半分の半径で１／４円状の円弧状収納溝１３ｂ，１３ｃが形成されている。そして円弧状収納溝１３ｂ，１３ｃの一端は直線収納溝１３ａに連通しており、円弧状収納溝１３ｂ，１３ｃの他端は下地材１２の長手方向と平行な側端面に開口している。上記のように収納溝１３が形成されるが、収納溝１３はマット材１５を貫通するように形成してあり、この収納溝１３の底部のクッション材１６に対応する部分には粘着剤８を装着してある。
【００１１】
図１に示す連絡用下地材Ｂは温水暖房するとき連絡用の配管を通すものであり、図２に示す連絡用下地材Ｂは電気暖房するとき連絡用の配線を通すものであるが、基本的に同じである。ただ温水暖房用の連絡用下地材Ｂと電気暖房用の連絡用下地材Ｂとは、温水暖房用の方が収納溝１３の幅広いが電気暖房用の方が収納溝１３の幅が狭く、また温水暖房用の方が下地材１２の厚さが厚いが電気暖房用の方が下地材１２の厚さが薄い点が異なる。温水暖房用の連絡用下地材Ｂの場合、連絡用の配管としての往路用及び復路用の温水パイプ１８ａ，１８ｂを図１（ｂ）のように通して収納され、粘着剤８に粘着して保持される。電気暖房用の連絡用下地材Ｂの場合、連絡用の配線としてのケーブル１９が図２（ｂ）のように通して収納され、粘着剤８に粘着して保持される。
【００１２】
上記のように構成せる連絡用下地材Ｂはそのままの状態で用いることができるが、下地材１２が切断可能な材料にて形成されているために下地材１２の長手方向の適宜の位置で幅方向に切断することができ、図３に示すように様々な収納溝１３の形態を有する切断連絡用下地材Ｂ1，Ｂ2、Ｂ3…を形成できる。なお、図３（ｇ）のように円弧状収納溝１３ｂ，１３ｃの円弧の中心を通る部分で切断して向きを逆にすると、図１（ａ）や図２（ａ）の想像線に示すように円弧状収納溝１３ｂと円弧状収納溝１３ｃが逆向きになる連絡用下地材Ｂを組み立てることができる。
【００１３】
図４は温水床暖房を行うときの施工途中の状態を示す。図４で２０は部屋の入口であり、１１は部屋の周囲の壁である。部屋の床暖房の必要な箇所には温水暖房用の温水パイプ７が装着された暖房用下地材１が敷設され、ボイラーからの配管が部屋に導入される壁１１際から暖房用下地材１の温水パイプ７のヘッダー２３まで配管する経路に沿って連絡用下地材Ｂが並べて敷設される。このとき切断しない連絡用下地材Ｂや適宜位置で切断した切断連絡用下地材Ｂ１，Ｂ２，Ｂ３…が並べられて配管する経路に沿って敷設される。そして収納溝１３に沿って往路用及び復路用の温水パイプ１８ａ，１８ｂを通して収納される。連絡用下地材Ｂを敷設した後、床の残りの部分に防音下地材が敷設され、暖房用下地材１、連絡用下地材Ｂ及び防音下地材の上面の全面に亙って床表層材が敷設される。
【００１４】
図５は電気床暖房を行うときの施工途中の状態を示す。部屋の床暖房の必要な箇所には電気暖房用のヒータ２１が装着された暖房用下地材１が敷設され、電源がある壁１１際からヒータ２１まで配線する経路に沿って連絡用下地材Ｂが並べて敷設される。このときも、切断しない連絡用下地材Ｂや適宜位置で切断した切断連絡用下地材Ｂ１，Ｂ２，Ｂ３…が並べられて配線する経路に沿って敷設される。そして収納溝１３に沿ってケーブル１９を通して収納される。連絡用下地材Ｂを敷設した後、床の残りの部分に防音下地材が敷設され、暖房用下地材１、連絡用下地材Ｂ及び防音下地材の上面の全面に亙って床表層材が敷設される。
【００１５】
【発明の効果】
本発明の請求項１の発明の連絡用下地材は、切断可能な材質で矩形板状に形成された下地材に配線や配管を通して収納する上面開口の収納溝が形成され、収納溝は下地材の幅方向の略中央で下地材の長手方向に亙るように形成された直線収納溝と、下地材の長手方向の両端部に下地材の幅の略半分の半径で略１／４円状に形成された円弧状収納溝とで構成され、直線収納溝の長手方向の端部と下地材の長手方向の両端の端部の円弧状収納溝の一端とが連通させられると共に円弧状収納溝の他端は下地材の側端で開口され、下地材の幅と円弧状収納溝の円弧の中心から下地材の長手方向の端までの距離を同じとし、下地材を円弧状収納溝の円弧の中心を通る部分で幅方向に切断して得られる円弧状収納溝を備えた切断連絡用下地材の向きを逆にすると、該切断連絡用下地材の円弧状収納溝の一端部が直線状収納溝に連通され且つ該円弧状収納溝の曲げ方向が他方の円弧状収納溝とは逆向きになる連絡用下地材を組み立てることができるものであるので、連絡用下地材をそのまま用いたり、下地材の長手方向の適所で幅方向に切断することにより、直線状や種々の形状に曲がった収納溝を有する切断材を形成でき、１種類の連絡用下地材にて様々な連絡用の配線や配管の経路に対応することができるものであり、また予め収納溝を設けてあると共に下地材の長手方向の適所で切断するだけのために施工者によって施工のばらつきを生じたりすることなく容易に施工できるものである。
【００１６】
また本発明の請求項２の発明は、請求項１において、下地材に防音床暖房装置の下地と同等の防音性能を付与したので、連絡用下地材を敷設して連絡用の配線や配管を通した部分も防音床暖房装置と同等の防音性能を得ることができるものである。
【図面の簡単な説明】
【図１】（ａ）は本発明の連絡用下地材の一例の平面図、（ｂ）は収納溝に配管を施した状態の連絡用下地材の断面図である。
【図２】（ａ）は同上の連絡用下地材の他例の平面図、（ｂ）は収納溝に配線した状態の断面図である。
【図３】（ａ）乃至（ｇ）は連絡用下地材を切断した状態の例の平面図である。
【図４】同上の連絡用下地材の敷設状態の一例を示す平面図である。
【図５】同上の連絡用下地材の敷設状態の他例を示す平面図である。
【図６】防音床暖房装置の一部切欠断面図である。
【図７】床を施工する状態を説明する分解斜視図である。
【符号の説明】
Ａ  防音床暖房装置
Ｂ  連絡用下地材
１１  壁
１２  下地材
１３  収納溝
１３ａ  直線収納溝
１３ｂ  円弧状収納溝
１３ｃ  円弧状収納溝
【図１】
0003716759.tif 000002
【図２】
0003716759.tif 000003
【図３】
0003716759.tif 000004
【図４】
0003716759.tif 000005
【図５】
0003716759.tif 000006
【図６】
0003716759.tif 000007
【図７】
0003716759.tif 000008